【手続補正書】
【提出日】平成27年10月9日(2015.10.9)
【手続補正１】
【補正対象書類名】特許請求の範囲
【補正対象項目名】全文
【補正方法】変更
【補正の内容】
【特許請求の範囲】
【請求項１】
減圧治療システムと共に使用する医療用品アッセンブリにおいて、当該医療用品アッセンブリが：
第１の面と、第２の面と、斜めの先端部とを有する医療用品クッションと；
前記医療用品クッションの第２の面に連結されたコンフォート層と；
を具え、
前記医療用品クッションが減圧下にあるとき方向性のある力を分配するよう構成されることを特徴とする医療用品アッセンブリ。
【請求項２】
請求項１に記載の医療用品アッセンブリがさらに、前記医療用品クッションの上に配設されたオーバードレープを具えることを特徴とする医療用品アッセンブリ。
【請求項３】
請求項１に記載の医療用品アッセンブリがさらに：
前記医療用品クッションの第１の面の上に配設されたオーバードレープを具え、
前記オーバードレープが異方性材料を含むことを特徴とする医療用品アッセンブリ。
【請求項４】
請求項１に記載の医療用品アッセンブリにおいて、前記医療用品クッションがさらに、前記第１の面に形成された複数の柔軟用ノッチを具えることを特徴とする医療用品アッセンブリ。
【請求項５】
請求項１に記載の医療用品アッセンブリにおいて、前記医療用品クッションが２つの直交する平面に台形状の断面を具えることを特徴とする医療用品アッセンブリ。
【請求項６】
請求項１に記載の医療用品アッセンブリにおいて、前記医療用品アッセンブリが２つの直交する平面にアーチ状の断面を具えることを特徴とする医療用品アッセンブリ。
【請求項７】
請求項１に記載の医療用品アッセンブリにおいて、前記医療用品クッションが２つの直交する平面に楕円形状断面を具えることを特徴とする医療用品アッセンブリ。
【請求項８】
請求項１に記載の医療用品アッセンブリにおいて、前記医療用品クッションが等方性材料を具えることを特徴とする医療用品アッセンブリ。
【請求項９】
請求項１に記載の医療用品アッセンブリにおいて、前記医療用品クッションが異方性材料を具えることを特徴とする医療用品アッセンブリ。
【請求項１０】
請求項１に記載の医療用品アッセンブリにおいて、前記医療用品クッションが：
親水性フォームで形成された第１のクッション層と；
疎水性フォームで形成された第２のクッション層と；
を具え、
前記第１のクッション層と前記第２のクッション層とが隣接して配設されることを特徴とする医療用品アッセンブリ。
【請求項１１】
請求項１に記載の医療用品アッセンブリにおいて、前記医療用品クッションが２５．６ｋｇ／ｍ３より大きい密度を有する網状フォームを具えることを特徴とする医療用品アッセンブリ。
【請求項１２】
請求項１に記載の医療用品アッセンブリにおいて、前記医療用品クッションが８０．０ｋｇ／ｍ３より大きい密度を有する網状フォームを具えることを特徴とする医療用品アッセンブリ。
【請求項１３】
請求項１に記載の医療用品アッセンブリにおいて、前記医療用品クッションが表皮組織の密度より低い密度を有する網状フォームを具えることを特徴とする医療用品アッセンブリ。
【請求項１４】
請求項１に記載の医療用品アッセンブリがさらに、第１の面と第２の内側向の面とを有する内側層を具え、前記内側層の第１の面が、少なくとも部分的に、成形された医療用品クッションの第１の面の一部に連結されることを特徴とする医療用品アッセンブリ。
【請求項１５】
請求項１に記載の医療用品アッセンブリがさらに：
オーバードレープと；
前記医療用品クッションの第１の面に形成された複数の柔軟用ノッチと；
を具え、
前記斜めの先端部が基準線と角度（α）を形成し、前記角度（α）が２５度〜６５度（６５°＞α＞２５°）の範囲であることを特徴とする医療用品アッセンブリ。
【請求項１６】
減圧治療システムと共に使用する医療用品アッセンブリにおいて、当該医療用品アッセンブリが：
斜めの先端部と、第１の面と、第２の面とを具える医療用品クッションと；
前記斜めの先端部および前記第１の面の上に配設されたオーバードレープであって、
前記医療用品クッションを越えて延在しドレープエクステンションを形成するオーバードレープと；
前記ドレープエクステンションに連結され、患者と前記オーバードレープとの間でシールを提供するよう作用する接着性周辺ストリップとを具えることを特徴とする医療用品アッセンブリ。
【請求項１７】
請求項１６に記載の医療用品アッセンブリがさらに、第１の面と第２の面とを有する内側層を具え、前記内側層の第１の面が前記医療用品クッションの第２の面の一部に、少なくとも部分的に、連結されることを特徴とする医療用品アッセンブリ。
【請求項１８】
請求項１６に記載の医療用品アッセンブリにおいて、前記医療用品クッションが医療用品クッション材料を具え、前記医療用品クッション材料が等方性材料を具えることを特徴とする医療用品アッセンブリ。
【請求項１９】
請求項１６に記載の医療用品アッセンブリにおいて、前記医療用品クッションが医療用品クッション材料を具え、前記医療用品クッション材料が異方性材料であることを特徴とする医療用品アッセンブリ。
【請求項２０】
減圧治療システムと共に使用する医療用品アッセンブリにおいて、前記医療用品アッセンブリが：
第１の面と、第２の面と、斜めの先端部とを形成する医療用品クッション材料を具える医療用品クッションと；
前記医療用品クッションの第１の面の上に配設されるよう構成されたドレープと；
前記ドレープを表皮にシールするために前記ドレープに連結されたドレープシーリング装置と；
を具え、
前記医療用品クッション材料が２０ｋｇ／ｍ３より大きい密度を有し、
前記医療用品クッションが減圧下で方向性のある力を均一に分配する特性を有する
ことを特徴とする医療用品アッセンブリ。
【請求項２１】
請求項２０に記載の医療用品アッセンブリにおいて、前記医療用品クッション材料がマニホールド材料であることを特徴とする医療用品アッセンブリ。
【請求項２２】
請求項２０に記載の医療用品アッセンブリにおいて、前記ドレープが異方性材料であることを特徴とする医療用品アッセンブリ。
【請求項２３】
請求項２０に記載の医療用品アッセンブリにおいて、前記斜めの先端部が面取りされることを特徴とする医療用品アッセンブリ。
【請求項２４】
請求項２０に記載の医療用品アッセンブリにおいて、前記斜めの先端部がアーチ形であることを特徴とする医療用品アッセンブリ。
【請求項２５】
請求項２０に記載の医療用品アッセンブリにおいて、前記斜めの先端部が基準線と５度より大きい角度を形成することを特徴とする医療用品アッセンブリ。
【請求項２６】
減圧治療システムと共に使用する成形医療用品クッションの製造方法において、当該方法が：
医療用品クッション材料を提供するステップと；
第１の面と、第２の面と、斜めの先端部とを有する成形医療用品クッションを形成するステップであって、前記成形医療用品クッションが前記医療用品クッション材料から形成される、ステップと；
を含み、
前記成形医療用品クッションが減圧を分配し、半径方向の圧縮力を均一に分配するよう作用することを特徴とする成形医療用品クッションの製造方法。
【請求項２７】
請求項２６に記載の成形医療用品クッションの製造方法がさらに、前記成形医療用品クッションの第２の面にコンフォート層を連結するステップを含むことを特徴とする成形医療用品クッションの製造方法。
【請求項２８】
請求項２６に記載の成形医療用品クッションの製造方法がさらに、前記成形医療用品クッションの第１の面にオーバードレープを連結するステップを含むことを特徴とする成形医療用品クッションの製造方法。
【請求項２９】
請求項２６に記載の成形医療用品クッションの製造方法において、前記成形医療用品クッションを形成するステップが、２つの直交する平面に台形状の断面を形成するステップを含むことを特徴とする成形医療用品クッションの製造方法。
【請求項３０】
請求項２６に記載の成形医療用品クッションの製造方法において、前記成形医療用品クッションを形成するステップが、２つの直交する平面にアーチ状の断面を形成するステップを含むことを特徴とする成形医療用品クッションの製造方法。
【請求項３１】
請求項２６に記載の成形医療用品クッションの製造方法において、前記成形医療用品クッションを形成するステップが：
２０ｋｇ／ｍ３より大きい密度を有する網状フォームのブロックを提供するステップと；
所望の高さに前記網状フォームをカットするステップと；
前記網状フォームにコンフォート層を積層するステップと；
ダイで前記網状フォームをカットし前記成形医療用品クッションを形成するステップとを含むことを特徴とする成形医療用品クッションの製造方法。